【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
無線通信を行う通信部と、
基地局に対して制御情報を送信するために、時系列に沿った所定の期間中に割り当てられる、シンボル数及びリソースブロック数の双方の条件が互いに異なる第１の物理チャネルと第２の物理チャネルとを、デュアルコネクティビティによって設定される無線アクセス技術の種別に応じて、選択的に切り替える制御部と、
を備える、通信装置。
【請求項２】
前記制御部は、基地局からの指示されたタイミングに基づき、前記第１の物理チャネルと前記第２の物理チャネルとを切り替える、請求項１に記載の通信装置。
【請求項３】
前記制御部は、基地局から自己完結型送信のタイミングが指示された場合に、当該タイミングに基づき、前記第１の物理チャネルと前記第２の物理チャネルとのうち、シンボル数のより少ない物理チャネルに切り替える、請求項２に記載の通信装置。
【請求項４】
ケイパビリティに関する情報を基地局に通知する通知部を備え、
前記制御部は、前記ケイパビリティに関する情報の通知後に、前記第１の物理チャネルと前記第２の物理チャネルとを切り替えるタイミングに関する指示を基地局から受ける、
請求項２または３に記載の通信装置。
【請求項５】
前記制御部は、基地局に送信するデータのタイプに応じて、前記第１の物理チャネルと前記第２の物理チャネルとを切り替える、請求項１〜４のいずれか一項に記載の通信装置。
【請求項６】
前記制御部は、前記制御情報を送信するための周波数帯域に応じて、前記第１の物理チャネルと前記第２の物理チャネルとを切り替える、請求項１〜５のいずれか一項に記載の通信装置。
【請求項７】
前記制御部は、前記制御情報を送信するための送信電力の算出値に応じて、前記第１の物理チャネルと前記第２の物理チャネルとを切り替える、請求項１〜６のいずれか一項に記載の通信装置。
【請求項８】
前記制御部は、基地局との間の通信に適用される通信方式に応じて、前記第１の物理チャネルと前記第２の物理チャネルとを切り替える、請求項１〜７のいずれか一項に記載の通信装置。
【請求項９】
前記制御部は、前記所定の期間を１以上含む期間において、前記第１の物理チャネルと前記第２の物理チャネルとを時間方向または周波数方向に多重する、請求項１〜８のいずれか一項に記載の通信装置。
【請求項１０】
前記制御部は、連続する２以上の前記所定の期間のうち、前記第２の物理チャネルを割り当てた第１の期間よりも、時間方向に沿って後方側に位置する第２の期間に前記第１の物理チャネルを割り当てることで、当該第１の物理チャネルと当該第２の物理チャネルとを時間方向に多重する、請求項９に記載の通信装置。
【請求項１１】
前記制御部は、前記第１の物理チャネルと前記第２の物理チャネルとが割り当てられる周波数帯域のうち、周波数方向に沿ったより端部側に前記第１の物理チャネルを割り当て、周波数方向に沿ったより中心側に前記第２の物理チャネルを割り当てることで、当該第１の物理チャネルと当該第２の物理チャネルとを周波数方向に多重する、請求項９に記載の通信装置。
【請求項１２】
無線通信を行う通信部と、
端末装置から制御情報を受信するために、時系列に沿った所定の期間中に割り当てられる、シンボル数及びリソースブロック数の双方の条件が互いに異なる第１の物理チャネルと第２の物理チャネルとの間の切り替えに関する情報を、端末装置に通知する通知部と、を備え、
前記切り替えに関する情報は、デュアルコネクティビティによって設定される無線アクセス技術の種別に応じて、前記第１の物理チャネルと前記第２の物理チャネルとを切り替えるための情報である、
通信装置。
【請求項１３】
前記所定の期間に対する、前記第１の物理チャネル及び前記第２の物理チャネルの割り当てを制御する制御部を備え、
前記第２の物理チャネルは、前記第１の物理チャネルよりも、リソースブロック数が多く、かつシンボル数が少ない、請求項１２に記載の通信装置。
【請求項１４】
前記制御部は、前記第２の物理チャネルを、前記所定の期間中の時間方向に沿ったより後方側に割り当てる、請求項１３に記載の通信装置。
【請求項１５】
前記制御部は、前記第２の物理チャネルに対して前記制御情報をマッピングするためのインデックスを、前記所定の期間中の時間方向に沿った後方側から優先的に割り当てる、請求項１４に記載の通信装置。
【請求項１６】
前記制御部は、前記所定の期間中において、前記第２の物理チャネルのうち少なくとも一部を、他の一部とは、時間方向及び周波数方向のそれぞれの位置が異なるように割り当てる、請求項１４または１５に記載の通信装置。
【請求項１７】
前記制御部は、前記第１の物理チャネルを、当該第１の物理チャネルの割り当ての対象となる周波数帯域の周波数方向に沿ったより端部側に割り当てる、請求項１３〜１６のいずれか一項に記載の通信装置。
【請求項１８】
前記制御部は、前記第１の物理チャネルに対して前記制御情報をマッピングするためのインデックスを、前記周波数帯域の周波数方向に沿った端部側から優先的に割り当てる、請求項１７に記載の通信装置。
【請求項１９】
前記制御部は、前記所定の期間中において、前記第１の物理チャネルのうち少なくとも一部を、他の一部とは、時間方向及び周波数方向のそれぞれの位置が異なるように割り当てる、請求項１７または１８に記載の通信装置。
【請求項２０】
前記制御部は、前記所定の期間中において、前記第１の物理チャネルを、前記周波数帯域の周波数方向に沿ったいずれかの端部側に連続して割り当てる、請求項１７または１８に記載の通信装置。
【請求項２１】
無線通信を行うことと、
コンピュータが、基地局に対して制御情報を送信するために、時系列に沿った所定の期間中に割り当てられる、シンボル数及びリソースブロック数の双方の条件が互いに異なる第１の物理チャネルと第２の物理チャネルとを、デュアルコネクティビティによって設定される無線アクセス技術の種別に応じて、選択的に切り替えることと、
を含む、通信方法。
【請求項２２】
無線通信を行うことと、
コンピュータが、端末装置から制御情報を受信するために、時系列に沿った所定の期間中に割り当てられる、シンボル数及びリソースブロック数の双方の条件が互いに異なる第１の物理チャネルと第２の物理チャネルとの間の切り替えに関する情報を、端末装置に通知することと、を含み、
前記切り替えに関する情報は、デュアルコネクティビティによって設定される無線アクセス技術の種別に応じて、前記第１の物理チャネルと前記第２の物理チャネルとを切り替えるための情報である、
通信方法。
【請求項２３】
コンピュータに、
無線通信を行うことと、
基地局に対して制御情報を送信するために、時系列に沿った所定の期間中に割り当てられる、シンボル数及びリソースブロック数の双方の条件が互いに異なる第１の物理チャネルと第２の物理チャネルとを、デュアルコネクティビティによって設定される無線アクセス技術の種別に応じて、選択的に切り替えることと、
を実行させる、プログラム。
【請求項２４】
コンピュータに、
無線通信を行うことと、
端末装置から制御情報を受信するために、時系列に沿った所定の期間中に割り当てられる、シンボル数及びリソースブロック数の双方の条件が互いに異なる第１の物理チャネルと第２の物理チャネルとの間の切り替えに関する情報を、端末装置に通知することと、を実行させ、
前記切り替えに関する情報は、デュアルコネクティビティによって設定される無線アクセス技術の種別に応じて、前記第１の物理チャネルと前記第２の物理チャネルとを切り替えるための情報である、
プログラム。